(57)【特許請求の範囲】
【請求項１】
抜け防止用の係止部を備えるモジュラープラグが挿入される開口部を上面側に有し、内部に前記モジュラープラグの係止部が係止する被係止部を有するモジュラージャックと；  モジュラージャックの開口部に正対する開口を有するカバー体と；  モジュラージャックの上面およびカバー体の裏面の間に、モジュラージャックの上面に沿って前記開口部を閉塞する位置から前記被係止部側方向に移動可能に設けられ、モジュラージャックにモジュラープラグが挿入されないときには前記開口部を閉塞する位置に移動されるとともに、モジュラープラグが挿入されているときには前記被係止部側に移動されて前記開口部を開放し、かつ、一部が前記被係止部側の上面に対向する扉体と；を具備することを特徴とする接続器具。
【請求項２】
前記カバー体は、前記モジュラージャックの被係止部側に対して前記モジュラージャックの開口部を挟む位置のモジュラージャックの上面に近接または接触する突片を有することを特徴とする請求項１記載の接続器具。
【請求項３】
前記扉体は、前記モジュラープラグが前記モジュラージャックの開口部に挿入されているときに、前記被係止部側の上面に対向する前記一部の部位の近傍から上方に突出する操作部を有することを特徴とする請求項１または２記載の接続器具。
【発明の詳細な説明】
【技術分野】
【０００１】
本発明は、モジュラージャックを有する通信用の接続器具に関する。
【背景技術】
【０００２】
電話機等の接続に用いられるモジュラージャックは、プラグ挿入口の開口が大きく、この開口から埃や塵あるいは異物が侵入しやすい。これらが内部のコンタクトに付着すると、電気的接触事故が発生するおそれがあるので、プラグ挿入口にモジュラープラグを挿入しない状態では、プラグ挿入口を防塵カバー等で閉塞することが行われている。
【０００３】
例えば、モジュラープラグが挿入されるプラグ挿入口が前面に開口したケースと、ケース内の定位置に固定されたモジュラープラグの接触子に接触するインサートブロックとの間に、プラグ挿入口を開閉する扉が配設されているモジュラージャックが提案されている（特許文献１参照。）。この従来技術のモジュラージャックは、ケースが埋込型の配線器具用の取付枠に取り付けることのできる取付部を両側面に有している。したがって、モジュラージャック自体が前記取付枠に取り付けられる。
【０００４】
そして、モジュラージャックを基板に実装することも行われている。例えば、ボディと裏カバーとからなる器体内に内装されるプリント基板上にモジュラージャックが実装されている中継モジュラージャック端子台が提案されている（特許文献２参照。）。この従来技術の中継モジュラージャック端子台において、モジュラージャックは、プリント基板に形成されている回路パターンにより電気的に接続され、ボディに形成された開口窓から露出している。
【特許文献１】特開平１０−３２６６３７号公報（第４−５頁、第１図）
【特許文献２】特開２００１−２１７０２３号公報（第３頁、第１図）
【発明の開示】
【発明が解決しようとする課題】
【０００５】
モジュラージャックにモジュラープラグが接続された状態で、モジュラープラグのコードを足等で引っ掛けること等により、モジュラージャックに引き抜きの力が加わることがある。ここで、特許文献２の中継モジュラージャック端子台のように、モジュラージャックがプリント基板に実装されていると、モジュラージャックは、引き抜きの力に対してプリント基板から浮き上がって取り外れやすく、回路パターンとの電気的接続が遮断されることがあった。
【０００６】
本発明は、外的な要因により電気的接続事故が発生することを抑制可能なモジュラージャックを有する接続器具を提供することを目的とする。
【課題を解決するための手段】
【０００７】
請求項１に記載の接続器具の発明は、抜け防止用の係止部を備えるモジュラープラグが挿入される開口部を上面側に有し、内部に前記モジュラープラグの係止部が係止する被係止部を有するモジュラージャックと；モジュラージャックの開口部へのモジュラープラグの挿脱が可能な開口を有するカバー体と；モジュラージャックの上面およびカバー体の裏面の間に、モジュラージャックの上面に沿って前記開口部を閉塞する位置から前記被係止部側方向に移動可能に設けられ、モジュラージャックにモジュラープラグが挿入されないときには前記開口部を閉塞する位置に移動されるとともに、モジュラープラグが挿入されているときには前記被係止部側に移動されて前記開口部を開放し、かつ、一部が前記被係止部側の上面に対向する扉体と；を具備することを特徴とする。
【０００８】
本発明および以下の各発明において、特に言及しない限り、各構成は以下による。
【０００９】
扉体は、カバー体の開口を閉塞するに際して、手動により移動されるようにしてもよく、復帰ばね等により自動的に移動されてもよい。また、蓋体部の一部分が一部の部位となる。
【００１０】
モジュラープラグは、一般的に、モジュラージャックの開口部に挿入したときに、係止片などの係止部がモジュラージャックの段部などの被係止部に係止し、この係止を解除しない限り、前記開口部から取り外すことができないものである。
【００１１】
本発明によれば、モジュラージャックの開口部にモジュラープラグが挿入されているときに、モジュラージャックにモジュラープラグを介してカバー体の開口側への引き抜きの力が加わると、モジュラージャックの上面が扉体の一部の部位に当接して、モジュラージャックの変位（移動）が規制される。当該変位は、極めて小さいので、モジュラージャックは、浮き上がることが防止される。
【００１２】
請求項２に記載の接続器具の発明は、請求項１の接続器具において、前記カバー体は、前記モジュラージャックの被係止部側に対して前記モジュラージャックの開口部を挟む位置のモジュラージャックの上面に近接または接触する突片を有することを特徴とする。
【００１３】
カバー体の突出片がモジュラージャックの上面に近接するに際しては、突出片とモジュラージャックとの隙間は、小さいほどよく、例えば０．３ｍｍ以下であり、好ましくは、１ｍｍ以下である。
【００１４】
モジュラージャックの開口部に正対する開口」とは、当該開口部を包含する大きさの開口を意味する。
【００１５】
扉体がカバー体と近接するに際して、両者の隙間は、扉体の移動に支障がない限り小さいほどよく、例えば０．３ｍｍ以下であり、好ましくは、０．１ｍｍ以下である。また、器具本体の上面とモジュラージャックの上面は、それらの間の段差が極めて小さい実質的に同一面状であることが望ましく、あるいは、前記段差が０．３ｍｍ以下、好ましくは、０．１ｍｍ以下であるのがよい。
【００１６】
本発明によれば、モジュラージャックにモジュラープラグを介してカバー体の開口側への引き抜きの力が加わると、モジュラージャックの上面は、開口部を挟んで、扉体の一部の部位およびカバー体の突出片の両方に当接する。これにより、モジュラージャックは、浮き上がることがより防止される。
【００１７】
請求項３に記載の接続器具の発明は、請求項１または２記載の接続器具において、前記扉体は、前記モジュラープラグが前記モジュラージャックの開口部に挿入されているときに、前記被係止部側の上面に対向する前記一部の部位の近傍から上方に突出する操作部を有することを特徴とする。
【００１８】
操作部を例えば指で押圧操作することにより、蓋体部が移動させられる。例えば、モジュラージャックの開口部にモジュラープラグを挿入させるときに、扉体の移動方向に操作部を押圧することにより蓋体部が移動し、モジュラージャックの開口部がカバー体の開口に露出する。
【００１９】
操作部の形状は、直方体、円弧状体、板状体など、特に問わない。
【００２０】
「略直角」とは、操作部の突出形成が厳密な直角にとらわれなくしたものである。すなわち、操作部が蓋体部から直角に突出形成されることも包含する。
【００２１】
本発明によれば、モジュラージャックの上面に対向している蓋体部の一部の部位にモジュラージャックが当接したときに、操作部はリブの役目を果たし、蓋体部の変形を抑制する。
【００２２】
本発明の一実施形態において、モジュラージャックの開口部は、モジュラープラグの係止部を挿入する側が凸部となる凸状に形成されており、扉体の前記一部の部位は、前記凸部側であって、かつ、前記凸部を除く前記モジュラージャック上面に対向するように設けられている。
【００２３】
蓋体部がモジュラージャックの被係止部側からカバー体の開口を閉塞するように配置されることにより、モジュラージャックの開口部にモジュラープラグが挿入されているときに、操作部は、モジュラープラグの近くに位置し、係止片などの係止の解除部材が対向する。そして、それら操作部と解除部材との隙間は小さいので、モジュラージャックの被係止部に対するモジュラープラグの係止を解除するときに、前記隙間に指等を挿入しづらくなり、指等で前記解除部材を掴みにくくなる。ここで、操作部は、扉体の移動方向におけるモジュラープラグに対向する部位が蓋体部の上面よりも突出しないように形成されることにより、前記隙間に指等を挿入し易くなり、指等で前記解除部材を掴み易くなる。
【００２４】
本実施形態によれば、扉体の操作部において、扉体の移動方向におけるモジュラープラグに対向する部位に指を挿入することにより、モジュラープラグの係止部とモジュラージャックの被係止部との係止を解除する手動操作がモジュラープラグに対して容易に行える。
【発明の効果】
【００２５】
請求項１の発明によれば、モジュラープラグのコードが引っ掛けられてモジュラージャックに引き抜きの力が加わっても、モジュラージャックは、扉体の一部の部位に当接することにより浮き上がることが防止されるので、電気的接続を維持することができる。これにより、接続装置に接続されている電気機器は、支障なく通信を行うことができる。
【００２６】
請求項２の発明によれば、カバー体は、モジュラージャックの開口部を介して扉体の一部の部位に対向しモジュラージャックの上面に近接または接触する突出片を有するので、モジュラージャックに引き抜きの力が加わったときに、モジュラージャックは、扉体の一部の部位およびカバー体の突出片の両方に当接することになり、浮き上がることをより防止することができて、信頼性を向上できる。
【００２７】
請求項３の発明によれば、扉体の操作部は、リブの役目を果たして蓋体部の変形を抑制するので、モジュラージャックに引き抜きの力が加わって蓋体部にモジュラージャックが当接したときに、蓋体部は、モジュラージャックを浮き上がらせないよう押えることができる。
【００２８】
本発明の一実施形態によれば、モジュラープラグに対向する部位に指を挿入することにより、操作部による干渉を抑制することができ、モジュラープラグをモジュラージャックから容易に取り外すことができる。
【発明を実施するための最良の形態】
【００２９】
以下、本発明の一実施の形態について、図面を参照して説明する。
【００３０】
図１ないし図６は、本発明の一実施の形態を示し、図１は接続器具の左方向から見た概略斜視図、図２は接続器具の右方向から見た概略斜視図、図３は接続器具の概略正面図、図４は接続器具の図３のＡ−Ａ方向の概略断面図、図５は接続器具の図３のＢ−Ｂ方向の概略断面図、図６はモジュラープラグが挿入された状態の接続器具の概略断面図である。
【００３１】
図１において、接続器具１は、電話機などの電子機器等が接続される通信用の接続器具であり、例えば壁面に埋設されている。接続器具１は、器具本体２、カバー体３および扉体４，５を有して構成されている。なお、器具本体２の上面２ａは、モジュラープラグが挿入されてくる側の面であり、図４ないし図６において上側の面である。その他の構成物においても同様である。
【００３２】
器具本体２は、それぞれ合成樹脂（例えばＡＢＳ樹脂）からなり、略箱状に形成された箱体６および縦長状に形成された枠体７を有している。枠体７は、４個のねじ８により箱体６にねじ留めされて一体化されている。
【００３３】
箱体６は、図４に示すように、内部に長方形状の基板９を配設している。基板９は、箱体６の底面６ａから内部にそれぞれ突出形成された略円柱状の柱状体１０および柱状体１１，…，１１に載置され、ねじ１２，１２により柱状体１０および柱状体１１に固定されている。
【００３４】
基板９には、略四角柱状のモジュラージャック１３が実装されている。モジュラージャック１３の下面には、一対の係止片１４，１４（図中、１個のみ示している。）が設けられている。係止片１４は、基板９に形成された挿通孔１５を挿通して基板９の下面９ａに係止している。この係止により、モジュラージャック１３は、基板９に固定されている。
【００３５】
そして、モジュラージャック１３に配設されているコンタクトピン（図示しない。）が基板９に形成された回路パターン（図示しない。）に接触している。
【００３６】
基板９からは、回路パターンに電気接続しているリード線（図示しない。）が導出されている。リード線は、図５に示すように、中継室１６に配設された略コ字状の中継金具１７に接続されている。中継金具１７には、壁内に配線された外部からの通信線（図示しない。）が接続されている。中継金具１７は、例えば銅板からなっている。
【００３７】
そして、基板９は、モジュラージャック１３の上面１３ａが枠体７の上面７ａ（器具本体２の上面２ａ）と同一面状となるように、箱体６（器具本体２）の内部に配設されている。また、基板９は、図１に示すように、長方形状の一端側に１個のモジュラージャック１３を実装し、他端側に２個のモジュラージャック１３，１３を並設するように実装し、中間側（略中央部）に切換スイッチ１８を実装している。一端側のモジュラージャック１３と、他端側の図中下側のモジュラージャック１３とは、基板９の回路パターンにより電気的に接続されている。
【００３８】
切換スイッチ１８は、図中上下方向にスライドさせることにより切り換わり、中継室１６に引き込まれて中継金具１７に接続された外部からの通信線と、一端側のモジュラージャック１３とを電気接続させ、あるいは他端側の図中上側のモジュラージャック１３とを電気接続させる。そして、例えば、一端側のモジュラージャック１３には、電話機が接続され、他端側の２個のモジュラージャック１３，１３には、スプリッタが接続される。
【００３９】
モジュラージャック１３の上面１３ａには、モジュラープラグ２１の係止部２２を挿入する側が凸部となる凸状に形成される開口部１９が形成されている。開口部１９は、枠体７の上面７ａ（器具本体２の上面２ａ）に露出している。そして、開口部１９の内部には、図５に示すように、奥側を後退させて被係止部としての段部２０が形成されている。この段部２０には、図６に示すように、モジュラープラグ２１の係止部としての係止片２２の突部２３が係止される。
【００４０】
モジュラープラグ２１は、開口部１９に挿入されるにしたがい、係止片２２がプラグ本体２４の側（図６中に右側）に弾性変形する。そして、係止片２２の突部２３がモジュラージャック１３の段部２０の位置に達すると、係止片２２は、図６中左側に弾性復帰する。段部２０および突部２３は、互いに対向して、突部２３が段部２０に係止される。この係止により、モジュラープラグ２１のコード２５を引っ張っても、モジュラープラグ２１は、開口部１９から抜けなくなる。
【００４１】
そして、モジュラープラグ２１の係止片２２およびプラグ本体２４を指で掴んで狭圧すると、係止片２２はプラグ本体２４側に弾性変形してプラグ本体２４に接触するようになり、突部２３はモジュラージャック１３の段部２に対向しなくなる。この状態でプラグ本体２４を器具本体２の上面２ａ側に移動させると、モジュラープラグ２１は、モジュラージャック１３の開口部１９から取り外れる。
【００４２】
モジュラージャック１３は、開口部１９の底面１９ａおよび側面１９ｂにそれぞれ細幅の溝（図示しない。）が形成され、当該溝にコンタクトピン（図示しない。）が配設されている。そして、モジュラープラグ２１が開口部１９に挿入されたとき、モジュラープラグ２１の接触子がコンタクトピンに電気的に接続される。これにより、モジュラープラグ２１は、モジュラージャック１３、基板９、図示しないリード線および中継室１６の中継金具１７を介して、外部の通信線に接続される。
【００４３】
そして、器具本体２を構成する枠体７は、図１に示すように、両側部７ｂ，７ｂにそれぞれ一対の係止溝２５を有する支持部材２６，２６および４個の係止爪２７を有する支持部材２８が形成されている。壁に埋設された配線器具用の取付枠の取付用突部を支持部材２６，…，２６のそれぞれの係止溝２５に挿入して係止させることにより、あるいは配線器具用の取付枠の係止孔に支持部材２８，２８のそれぞれの係止爪２７，…，２７を挿入して係止することにより、枠体７を介して器具本体２が配線器具に配設される。
【００４４】
そして、枠体７の上面７ａ（器具本体２の上面２ａ）側にカバー体３が配設されている。カバー体３は、合成樹脂（例えばＡＢＳ樹脂）からなり、細長状の平板部２９と、平板部２９から直角に延伸された側部３０，３０および側部３１，３１とを有する箱状に形成されている。側部３０，３０および側部３１，３１は、図５に示すように、開口縁側に段差を有し、同じく段差を有する枠体７の開口端側に嵌め込まれている。
【００４５】
カバー体３は、図１に示すように、平板部２９に基板９の一端側に実装されたモジュラージャック１３の開口部１９および基板９の他端側に実装された２個のモジュラージャック１３，１３の開口部１９，１９にそれぞれ正対する開口３２，３３が形成されている。また、平板部２９の略中央部には、切換スイッチ１８に正対する開口３４が形成されている。そして、図３に示すように、開口３２は、１個のモジュラージャック１３の上面１３ａ側よりも大きく、開口３３は、並設されたモジュラージャック１３，１３の上面１３ａ，１３ａ側よりも大きく形成されている。開口３２は、扉体４により開閉され、開口３３は、扉体５により開閉される。
【００４６】
また、カバー体３は、図２に示すように、平板部２９の下面２９ｂから突出し、モジュラージャック１３の上面１３ａに接触する長方形状の突出片３５が形成されている。突出片３５は、扉体４，５が移動（スライド）してくる側に設けられ、モジュラージャック１３の開口部１９の周部にそれぞれ位置するように設けられている。
【００４７】
扉体４は、蓋体部３６およびこの蓋体部３６から突出形成された操作部３７を有して形成されている。蓋体部３６は、平板状に形成され、図５に示すように、カバー体３の平板部２９と近接するようにして、例えばカバー体３の平板部２９と０．３ｍｍ以下の隙間を有して、枠体７の上面７ａ（器具本体２の上面２ａ）に移動可能に配置されている。そして、蓋体部３６は、モジュラージャック１３の開口部１９に形成された被係止部としての段部２０側から当該段部２０の反対方向に移動（スライド）してカバー体３の開口３２を閉塞するように配置されている。
【００４８】
そして、蓋体部３６は、カバー体３の開口３２を開けている状態において、一部の部位としての移動方向の先端部３６ａがモジュラージャック１３の上面１３ａに対向するように、その大きさが形成されている。そして、先端部３６ａの移動方向と直交する方向の中央部は、図１に示すように、長方形状に切り欠きされ、切り欠き部３８に形成されている。蓋体部３６が移動してカバー体３の開口３２を閉塞するときに、切り欠き部３８にカバー体３の突出片３５が挿入される。
【００４９】
カバー体３の開口３２を閉塞しているときは、モジュラージャック１３の開口部１９にモジュラープラグ２１が挿入されないときであり、カバー体３の開口３２を開けている状態は、開口部１９にモジュラージプラグ２１が挿入されるとき、またはモジュラープラグ２１に挿入されているときである。そして、開口部１９にモジュラージプラグ２１が挿入されているときには、カバー体３の突出片３５および蓋体部３６の先端部３６ａ（一部の部位）は、開口部１９を介して互いに対向している。
【００５０】
そして、扉体４の操作部３７は、蓋体部３６の上面３６ａから突出し、蓋体部３６の移動方向と直交する方向に略直方体に形成されている。そして、操作部３７は、モジュラージャック１３の開口部１９にモジュラージプラグ２１が嵌合されているときのモジュラープラグ２１の係止片２２に対向する部位が蓋体部３６の上面３６ａよりも突出しないように切り欠きされている。また、操作部３７は、蓋体部３６の先端部３６ａ（一部の部位）の近傍の位置において、蓋体部３６から略直角に突出形成されている。これにより、操作部３７は、リブの役目を果たす。すなわち、モジュラージャック１３の上面１３ａが蓋体部３６に当接したときに、蓋体部３６の変形を抑制する。
【００５１】
操作部３７は、蓋体部３６の移動に応じてカバー体３の開口３２内を移動し、縁部３２ａまたは縁部３２ｂに当接する。操作部３７が当該縁部３２ａに当接したときに、カバー体３の開口３２が完全に開かれ、器具本体２のモジュラージャック１３の開口部１９にモジュラージプラグ２１を挿入させることができる。このとき、蓋体部３６の先端部３６ａ（一部の部位）がモジュラージャック１３の上面１３ａに対向するようになる。また、操作部３７が前記縁部３２ｂに当接したときに、蓋体部３６の切り欠き部３８にカバー体３の突出片３５が挿入され、カバー体３の開口３２が完全に閉塞される。
【００５２】
上述したように、扉体４は、操作部３７がカバー体３の開口３２の縁部３２ａおよび縁部３２ｂの間を移動（スライド）することによって、蓋体部３６がカバー体３の開口３２を開閉する。すなわち、モジュラージャック１３の開口部１９にモジュラープラグ２１が挿入されないときに、カバー体３の開口３２を閉塞するように、操作部３７をカバー体３の開口３２の縁部３２ａ側から縁部３２ｂ側に移動させることができる。また、開口部１９にモジュラープラグ２１を挿入させるときに、操作部３７をカバー体３の開口３２の縁部３２ｂ側から縁部３２ａ側に移動させることによってカバー体３の開口３２を開けることができる。
【００５３】
また、扉体５は、図１に示すように、蓋体部３９およびこの蓋体部３９から突出形成された突出部４０を有してなり、扉体４と同様に形成されている。すなわち、蓋体部３９は、平板状に形成され、カバー体３の開口３３を開けている状態において、移動方向の先端部３９ａが一部の部位としてモジュラージャック１３，１３の上面１３ａ，１３ａに対向するように、その大きさが形成されている。そして、先端部３９ａには、カバー体３の突出片３５，３５が挿入される切り欠き部４１，４１が形成されている。
【００５４】
操作部４０は、蓋体部３９の先端部３９ａの部位であって蓋体部３９の移動方向と直行する方向の中央部に略直方体に形成されている。また、操作部４０は、蓋体部３９の先端部３９ａ（一部の部位）の近傍の位置において、蓋体部３９から略直角に突出形成されている。操作部４０は、モジュラージャック１３、１３の開口部１９、１９にモジュラープラグ２１、２１が挿入されているときのモジュラープラグ２１、２１の係止片２２、２２に対向する部位には、当初から形成されていない。
【００５５】
そして、操作部４０がカバー体３の開口３３の縁部３３ａに当接したときに、カバー体３の開口３３が完全に開かれ、器具本体２のモジュラージャック１３，１３の開口部１９，１９に例えばスプリッタのモジュラープラグ２１，２１を挿入させることができる。このとき、蓋体部３９の先端部３９ａ（一部の部位）がモジュラージャック１３，１３の上面１３ａ，１３ａに対向するようになる。また、操作部４０が開口３３の縁部３３ｂに当接したときに、蓋体部３９の切り欠き部４１，４１にカバー体３の突出片３５，３５が挿入され、カバー体３の開口３３が完全に閉塞される。
【００５６】
次に、本発明の一実施の形態の作用について述べる。
【００５７】
器具本体２は、枠体７の側部７ｂ，７ｂに設けられた取付部材２６，２６または取付部材２８が壁に埋設されたボックスの取付枠に固定される。すなわち、器具本体２は、前記ボックスに固定されて壁に埋設される。そして、カバー体３が壁面に露出している。
【００５８】
扉体４の操作部３７をカバー体３の開口３２の縁部３２ｂに当接させるように扉体４を移動させると、カバー体３の開口３２は完全に閉塞される。また、扉体５の操作部４０をカバー体３の開口３３の縁部３３ｂに当接させるように扉体５を移動させると、カバー体３の開口３３は完全に閉塞される。カバー体３の開口３２，３３が扉体４，５により閉塞されることにより、器具本体２に配設されたモジュラージャック１３の開口部１９に埃や塵あるいは異物が侵入されることが防止される。
【００５９】
そして、扉体４の操作部３７をカバー体３の開口３２の縁部３２ａに当接させるように扉体４を移動させると、カバー体３の開口３２は開かれ、モジュラージャック１３の開口部１９が開口３２に露出する。そして、例えば電話機のコード２５に接続されているモジュラープラグ２１を開口３２から挿入して、開口部１９に挿入させることができる。これにより、例えば電話機は、外部の通信線に接続される。
【００６０】
また、扉体５の操作部４０をカバー体３の開口３３の縁部３３ａに当接させるように扉体５を移動させると、カバー体３の開口３３は開かれ、モジュラージャック１３，１３の開口部１９，１９が開口３３に露出する。そして、例えばスプリッタの各コード２５に接続されているモジュラープラグ２１，２１を開口３３から挿入して、開口部１９，１９に挿入させることができる。これにより、例えばスプリッタは、外部の通信線に接続される。
【００６１】
そして、電話機が接続器具１に接続されているときに、電話機のコード２５に足を引っ掛けるなどして当該コード２５がモジュラージャック１３側を引っ張ると、基板９に実装されているモジュラージャック１３には、基板９から浮き上がる力が作用する。すなわち、基板９は、器具本体２（箱体６）に固定され、器具本体２（枠体７）は、壁に埋設されたボックスの取付枠に固定されている。また、電話機のコード２５に接続されているモジュラープラグ２１は、図６に示すように、係止部としての係止片２２の突部２３がモジュラージャック１３の被係止部としての段部２０に係止されているので、電話機のコード２５が引っ張られてもモジュラージャック１３から抜けない。したがって、電話機のコード２５が引っ張られ、モジュラープラグ２１に引き抜きの力が加わると、その引き抜きの力は、モジュラージャック１３を基板９から浮き上がらせる（離脱）させるように作用する。
【００６２】
モジュラージャック１３に上記引き抜きの力が作用すると、基板９が若干撓み、あるいは基板９からモジュラージャック１３が若干浮き上がるなどして、モジュラージャック１３がカバー体３の開口３２側に変位する。すると、モジュラージャック１３の上面１３ａに対向している扉体４の蓋体部３６の先端部３６ａにモジュラージャック１３の上面１３ａが当接する。
【００６３】
そして、蓋体部３６は、カバー体３の平板部２９と例えば０．３ｍｍ以下の隙間を有して近接しているので、平板部２９に当接するようになる。カバー体３は、器具本体２の枠体７に固定されているので、蓋体部３６が平板部２９に当接することにより、扉体４からモジュラージャック１３に対して上記引き抜きの力に対向する力が作用するようになる。
【００６４】
ここで、操作部３７は、蓋体部３６の先端部３６ａ（一部の部位）の近傍の位置において、蓋体部３６から略直角に突出形成されているので、リブの役目を果たして、蓋体部４０の変形を抑制する。これにより、蓋体部３６は、モジュラージャック１３の上面１３ａを強固に押えることができる。
【００６５】
また、モジュラージャック１３は、開口部１９を介して扉体４の蓋体部３６の先端部３６ａと反対側の上面１３ａがカバー体３の突出片３５と接触しているので、モジュラージャック１３に上記引き抜きの力が作用すると、突出片３５からモジュラージャック１３に対して上記引き抜きの力に対向する力が作用するようになる。
【００６６】
モジュラージャック１３は、上記引き抜きの力が加わると、開口部１９を挟んで扉体４の蓋体部３６およびカバー体３の突出片３５により押圧される。これにより、モジュラージャック１３は、基板９から浮き上がりにくくなり、モジュラージャック１３の係止片１４が基板９から取り外れることが抑制され、開口部１９に配設されているコンタクトピンと基板９の回路パターンとの電気的接触が遮断されることが抑制される。すなわち、電話機のコード２５を足で引っ掛けるなど、外的な要因によりモジュラージャック１３に引き抜きの力が作用した後であっても、電気的接続事故の発生が抑制されていて、電話機は支障なく通信を行うことができる。
【００６７】
なお、カバー体３の突出片３５は、モジュラージャック１３の上面１３ａに近接させてもよい。すなわち、突出片３５は、モジュラージャック１３の上面１３ａと例えば０．３ｍｍ以下の隙間を有していてもよい。モジュラージャック１３に引き抜きの力が加わってモジュラージャック１３がカバー体３の開口３２側に変位すると、扉体４の蓋体部３６がカバー体３の平板部２９の下面２９ｂに当接したときに、モジュラージャック１３の上面１３ａが突出片３５に当接するので、モジュラージャック１３は、扉体４の蓋体部３６およびカバー体３の突出片３５により押圧される。
【００６８】
また、カバー体３に突出片３５を設けずに、扉体４の蓋体部３６をモジュラージャック１３の上面１３に対向させるようにしてもよい。ここで、蓋体部３６と対向しているモジュラージャック１３の上面１３ａとは開口部１９を介して反対側である上面１３ａには、カバー体３の平板部２９が近接するようにするとよい。すなわち、カバー体３の平板部２９のうち、当該上面３ａに対向する部位の肉厚を大きくして、当該部位とモジュラージャック１３の上面１３ａとの隙間が例えば０．３ｍｍ以下となるようにしてもよい。モジュラージャック１３に引き抜きの力が加わってモジュラージャック１３がカバー体３の開口３２側に変位すると、扉体４の蓋体部３６がカバー体３の平板部２９の下面２９ｂに当接したときに、モジュラージャック１３の上面１３ａが平板部２９の肉厚を大きくした部位に当接するので、モジュラージャック１３は、扉体４の蓋体部３６およびカバー体３の平板部２９により押圧される。
【００６９】
仮に、モジュラージャック１３の開口部１９にモジュラープラグ２１が挿入されているときに、扉体４の蓋体部３６の先端部３６ａがモジュラージャック１３の上面１３ａに対向しないように形成されていると、モジュラージャック１３に引き抜きの力が作用したときに、モジュラージャック１３は、カバー体３の突出片３５が接触している上面１３ａ側が支軸となってカバー体３の開口３２側に変位しやすくなる。これにより、モジュラージャック１３は、係止片１４が基板９から取り外れて浮き上がりやすくなり、基板９の回路パターンとの電気接続が維持されなくなるおそれがある。
【００７０】
また、カバー体３に一対の突出片３５，３５を設けて、当該突出片３５，３５をモジュラージャック１３の開口部１９を挟むようにしてモジュラージャック１３の上面１３に接触させると、モジュラージャック１３に引き抜きの力が作用したときに、モジュラージャック１３が基板９から浮き上がることを抑制することができる。この場合、カバー体３の開口３２は、扉体４により開閉されるので、一対の突出片３５，３５は、扉体４の移動方向と直交する方向であって、扉体４に干渉しない部位に設けられる。
【００７１】
モジュラージャック１３の上面１３は、図３に示すように、扉体４の移動方向と直交する方向においてカバー体３の開口３２内に露出している。したがって、一対の突出片３５，３５を扉体４の移動方向と直交する方向においてモジュラージャック１３の上面１３ａに接触させるには、例えばモジュラージャック１３を大形化して上面１３ａを扉体４の移動方向と直交する方向に拡大させる必要があり、あるいは、モジュラージャック１３の側面に一対の突出片３５，３５と接触または近接する部材を設ける必要がある。ここで、配線器具用の取付枠に取り付けられる器具本体２は、その大きさが制限されるので、モジュラージャック１３が大形化され、あるいは前記部材が設けられると、器具本体２に配設されるモジュラージャック１３の数量が制限されるという欠点を有し、コストアップするという欠点を有する。すなわち、扉体４が設けられている限り、上記一対の突出片３５，３５によって、モジュラージャック１３を基板９から浮き上がりにくくさせることは、好適でない。本発明の接続器具１は、カバー体３の一対の突出片３５，３５をモジュラージャック１３の開口部１９を介して互いに対向させて接触または近接させることができないモジュラージャック１３を有するものに対して特に効果的である。
【００７２】
そして、図１に示すように、扉体４の操作部３７は、モジュラージャック１３にモジュラープラグ２１が挿入されたときのモジュラープラグ２１の係止片２２と対向する部位が扉体４の蓋体部３６の上面３６ａよりも突出しないように切り欠きされている。これにより、モジュラージャック１３からモジュラープラグ２１を取り外すときには、操作部３７に干渉されずに当該切り欠きされた部位に指を容易に挿入することができて、指でモジュラープラグ２１のプラグ本体２４および係止片２２を掴むことができる。
【００７３】
そして、図６に示すように、モジュラープラグ２１の係止片２２の突部２３がモジュラージャック１３の段部２０に係止されている状態において、係止片２２を指の狭圧によりプラグ本体２４側に変位させると、係止片２２の突部２３がモジュラージャック１３の段部２０から取り外れる。こうして、例えば係止片２２をプラグ本体２４側に変位させるための離脱具を用いることなく、モジュラープラグ２１の係止片２２の突部２３とモジュラージャック１３の段部２０との係止を解除する手動操作を容易に行うことができる。
【００７４】
また、図１、図３から明らかなように、モジュラープラグ２１が挿入された状態において、モジュラジャック１３の開口部１９以外の上面１３ａを利用して扉体４の先端部３６ａを設けたので、本来モジュラープラグ２１が挿入された状態ではデットスペースとなってしまう箇所を有効的に利用したものである。
【００７５】
そして、カバー体３の開口３３に露出しているモジュラージャック１３，１３に対しても、上述と同様である。すなわち、スプリッタのコード２５に足を引っ掛けるなどして当該コード２５が引っ張られると、モジュラージャック１３，１３に引き抜きの力が作用する。しかし、モジュラージャック１３，１３の上面１３ａ，１３ａが扉体５の蓋体部３９およびカバー体３の突出片３５，３５により押圧される。これにより、モジュラージャック１３，１３は、基板９から浮き上がりにくくなり、モジュラージャック１３，１３の係止片１４，１４が基板９から取り外れることが抑制され、開口部１９，１９に配設されているコンタクトピンと基板９の回路パターンとの電気的接触が遮断されるという電気的接続事故の発生が抑制される。
【００７６】
また、扉体５は、図１に示すように、操作部４０がモジュラージャック１３，１３にモジュラープラグ２１，２１が嵌合されたときのモジュラープラグ２１，２１の係止片２２，２２と対向する部位には形成されていない。したがって、操作部４０に干渉することなく、指でモジュラープラグ２１のプラグ本体２４および係止片２２を容易に掴むことができ、モジュラープラグ２１とモジュラージャック１３との係止を手動操作により容易に解除することができる。
【図面の簡単な説明】
【００７７】
【図１】本発明の一実施の形態を示す接続器具の左方向から見た概略斜視図。
【図２】同じく、接続器具の右方向から見た概略斜視図。
【図３】同じく、接続器具の概略正面図。
【図４】同じく、接続器具の図３のＡ−Ａ方向の概略断面図。
【図５】同じく、接続器具の図３のＢ−Ｂ方向の概略断面図。
【図６】同じく、モジュラープラグが挿入された状態の接続器具の概略断面図。
【符号の説明】
【００７８】
１…接続器具
２…器具本体
３…カバー体
４，５…扉体
【図１】
0004771155.tif 000002
【図２】
0004771155.tif 000003
【図３】
0004771155.tif 000004
【図４】
0004771155.tif 000005
【図５】
0004771155.tif 000006
【図６】
0004771155.tif 000007